(57)【要約】【課題】  テーブル上に一種類のみならず複数種の草花等の植物を植生することができて、自然の雰囲気を醸し出させると共に椅子を回動可能にかつ着脱自在に設けて運搬に便ならしめる屋外テーブルを提供することを目的とする。【解決手段】  草花等の植生部を有しかつ空気通孔を設けたテーブル部分と、支脚で支持され、排水を貯蔵するタンク台とを、上部にテーブルに差し込む給排水口を有すると共にテーブルを支持する受台を設け、かつ下部をタンク台に着脱可能に固定する中空の支柱により連結せしめ、前記タンク台の下部には、支脚を係止する複数の嵌合管および椅子の立脚下部を回動自在にかつ着脱自在に係止する支持管と、支柱を固定する支承管を設けた台座を固定してなることを特徴とする自然の草花を組み込める屋外用テーブルである。【選択図】    図１
0003103564.tif 000002
【実用新案登録請求の範囲】
【請求項１】
草花等の植生部を有しかつ空気通孔を設けたテーブルと、支脚で支持され、排水を貯蔵するタンク台とを、上部にテーブルに差し込む給排水管を有すると共にテーブルを支持する受台を設け、かつ下部をタンク台に着脱可能に固定する中空の支柱により連結せしめ、前記タンク台の下部には、支脚を係止する連結管、および椅子の立脚下部を回動自在にかつ着脱自在に係止する支持管と、支柱を固定する支承管を設けた台座を固定してなることを特徴とする自然の草花を組み込める屋外用テーブル。
【請求項２】
支柱に給水口と開閉弁を設けると共に上部の給排水管の上に散水管を設けたことを特徴とする請求項１に記載の自然の草花を組み込める屋外用テーブル。
【請求項３】
植生部にパーテーションを設置して植生区分を形成したことを特徴とする請求項１に記載の自然の草花を組み込める屋外用テーブル。
【考案の詳細な説明】
【技術分野】
【０００１】
本考案は、テーブルの上に自然の草花等の植物を組み込んでテラスやグランドに置き、屋外環境と同化し、自然に触れて寛ぎながら休息を楽しむことができる、屋外用テーブルに関するものである。
【背景技術】
【０００２】
近時、コンクリートのビルや家屋において、屋内外に草花等の植物を植えたプランタンを配置して、住環境に自然の雰囲気をもたらし、生活環境を和ませることがよく行われており、これらを実現する各種のインテリア装置が提案されている。
例えばテーブル（天板）の中央部に培養容器を設け、この培養容器内部に植物を植えることにより該容器を設けた室内に森林浴効果を生じさせて、室内の空気を浄化、活性化することが特許文献１に記載され公表されている。
また、特許文献２には車椅子利用者対応のプランターであるが、プランターの下部の支柱に余剰水貯蔵タンクを設け、その水をプランターの土壌に循環する給排水装置を設けたプランターが開示されている。
つまり、室内の環境浄化のために、テーブルに植物を植え込み、植え込んだ植物に給排水する装置を設けることはそれぞれ知られた技術である。
【特許文献１】実用新案登録第２５０２５０６号明細書
【特許文献２】特開２０００−５０７３５号公報
【考案の開示】
【考案が解決しようとする課題】
【０００３】
上記したように、テーブルの中央に植物を植え、プランターの植物に水を供給・排出する技術は公知であるが、これらはいずれも基本的には室内で使用されものであり、屋外に配置して自然の雰囲気に適合させるテーブルとはいえない。
本考案はテーブル上に一種類のみならず複数種の草花等の植物を植生することができて、自然の雰囲気を醸し出させると共に椅子を回動可能にし近接して対話できるようにし、かつ着脱自在に設けて運搬に便ならしめる屋外テーブルを提供することを目的とするものである。
【課題を解決するための手段】
【０００４】
本考案は上記目的を達成するために以下の構成を要旨とする。すなわち
草花等の植生部を有しかつ空気通孔を設けたテーブル部分（以下単にテーブルという）と、支脚で支持され、排水を貯蔵するタンク台とを、上部にテーブルに差し込む給排水管を有すると共にテーブルを支持する受台を設け、かつ下部をタンク台に着脱可能に固定する中空の支柱により連結せしめ、前記タンク台の下部には、支脚を係止する連結管、および椅子の立脚下部を回動自在にかつ着脱自在に係止する支持管と、支柱を固定する支承管を設けた台座を固定してなることを特徴とする自然の草花を組み込める屋外用テーブルである。
上記テーブルは支柱に給水口と開閉弁を設けると共に上部の給排水管の上に散水管を設けた構成としてもよい。
また、植生部にパーテーションを設置して植生区分を形成することが好ましい。
【考案の効果】
【０００５】
本考案は、テーブル部分と支柱部分と下部土台タンク部分と椅子の部分が着脱可能にセットされるため、組み立て分解および運搬が容易であり、また、テーブルの上に自然の草花等の植物を一種のみならず異種草花を選択して植え込んでテラスやグランドに置くことにより、自然の雰囲気を醸し出し、屋外環境と同化しながら寛いで休息を楽しむことができるテーブルを提供する。
【考案を実施するための最良の形態】
【０００６】
以下に本考案を図に示す実施例に基づいて詳細に説明する。
図１は本考案の組立てたテーブルの斜視図を示し、図２はテーブル上部の斜視図を示し、図３は本考案の組立て前の分解図を示す。
【０００７】
本考案は基本的にはテーブル部１と、これを支持する支柱２と、支柱を受け止めるタンク台３と、このタンク台３に回動自在に取り付けた椅子５からなっている。
テーブル１は、その内部を中空状にし、表面は皿やコップ等を載置できるフラット面１１と、図２に示すように、テーブルの上面より低い底部１２を持ち草花等の植物を植え込む植生部１３を有している。図の実施例ではテーブルの中央部に植生部１３を設けているが、これに限らず、例えばテーブルの形状によりその位置及び設置数は自由に選択できる。。植生部１３にはパーテーション１４で適当な区画を作ってもよく、区画毎に所望の草花を植えて美観を変えることができる。１５はテーブルサイドに設けた空気孔、１６は植生部１３に開口する空気孔であり、空気が孔１５より孔１６を通り植生部に植えた植物の根部に供給される。１７は表面に適宜の彩色を施したカバーシートであり、植生部１３に植物を植えていないときに、植物に代えて被せることができる。
【０００８】
支柱２は中空パイプで構成し、上部にテーブル１の植生部１３に差し込まれる給排水口２２を有する給排水管２１を設け、その上に開閉弁２７を有する散水パイプ２３を備えている。給排水管２１には図示していないが、例えばスリットを有するカバーを回転自在に嵌合し、スリットを給排水口２２に合わせて該口２２を開放し、必要に応じて給水或いは排水を行うようにできる。一方、カバーで給排水口２２を塞ぐことにより給水口２５より供給される水を散水パイプ２３に送り、植生部の植物に散水するようにしてもよい。
【０００９】
支柱２には受台２４が給排水管２１の下部近傍に取り付けており、テーブル１の下部  （底板）と密着し、テーブル１を支持している。
また、支柱２には給水口２５と開閉弁２６を設け、該弁を閉にすることにより、該給水口より供給された水を給排水管２１に、又散水パイプ２３に供給する一方、該弁を開にすることにより、植生部１３での余剰の水は給排水口２２より支柱内を通ってタンク台３に回収するよう調整される。
支柱１下部はタンク台３に着脱可能に固定する。
【００１０】
タンク台３は内部に排水を貯蔵する空間を有し、支柱支持用の案内管３１と椅子の立脚支持用の案内管３２と支脚嵌合管の係止部３３を備えている。このタンク台３には、支柱２に嵌合して固定する支承管４１と、椅子の立脚を嵌合する支持管４２と、支脚４４を着脱可能に固定する連結管４３を備えた台座４を底部から固定し、案内管３１に支承管４１を、案内管３２には支持管４２を、係止部３３には連結管４３を嵌合して一体化し、強固に支持している。連結管４３には支脚４４の先端を嵌合固定して連結し、タンク台３を安定して支持する。上記した各部の固定・連結手段は図示していないが、螺合やボルト等公知の手段で行なえばよい。
【００１１】
椅子５は掛座５１と立脚５２からなり、立脚５２の上端に掛座５１を固定し、下端を支持管４２に回動自在に、かつ着脱可能に嵌合する。掛座５１には表面に各種の着色を施したシート５３を着脱自在にセットでき、テーブルの植生植物に応じて色彩を選択できる。  
【００１２】
図１は本考案において植生部１３に芝を植えたテーブル部１と、支柱２と、４方向に支脚４４を配置した台座４を組み込んだタンク台３と、２台の椅子５とを組み立てたテーブルの例を示している。
本考案は植生部には四季の草花や、好みの或いは屋外環境に合った植物を選ぶことにより、癒しの雰囲気を醸し出すことができ、特に屋外、例えばオープンカフェに用いるのに好適である。植物を植生した植生部には土壌が堆積し、適宜給水及び排水ができるようになっており、長寿命を保つことができる。椅子には植生植物や周囲の環境に合ったシートを選択することができる。また、椅子はタンク台に回動自在にセットしてあるため、位置の変更が容易であり、使用しないときはテーブル下へ収容することができ、かつ取外しが簡単であるため、テーブルの移動を容易に行なうことができる。
なお本考案において、屋外とは家の外のみならず、壁面が開放され外気と一体になった屋内も含むものである。
【図面の簡単な説明】
【００１３】
【図１】本考案の実施例を示す斜視図。
【図２】本考案のテーブル部を示す斜視図。
【図３】本考案実施例の分解図。
【符号の説明】
【００１４】
１：テーブル部
１１：フラット
１２：底部
１３：植生部
１４：パーテーション
１５：空気孔
１６：空気孔
１７：カバーシート
２：支柱
２１：給排水管
２２：給排水口
２３：散水パイプ
２４：受台
２５：給水口
２６：開閉弁
２７：開閉弁
３：タンク台
３１：支柱係止案内缶
３２：椅子の立脚支持用の案内管
３３：支脚嵌の係止部
４：台座
４１：支承管
４２：支持管
４３：連結管
４４：支脚
５：椅子
５１：掛座
５２：立脚
５３：シート
【図１】
0003103564.tif 000003
【図２】
0003103564.tif 000004
【図３】
0003103564.tif 000005